【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、前記方法は、第３のワイヤレスデバイスによって実行され、
周波数帯域幅の第１の部分を通じて第１のメッセージを受信することと、ここで、前記第１のメッセージは、送信元である第１のワイヤレスデバイスおよび意図された受信先である第２のワイヤレスデバイスの識別子を含む、
前記第１のメッセージに基づいて、前記第３のワイヤレスデバイスおよび第４のワイヤレスデバイスがいずれも前記第１のメッセージの意図された受信先ではないと決定することと、
前記第１のメッセージの送信時間と前記周波数帯域幅の第２の部分のクリアチャネルアクセスのチェックとのうちの少なくとも１つに基づいて、ポイント協調機能インターフレームスペース（ＰＩＦＳ）時間とバックオフタイマーが満了するために必要な時間とのうちの少なくとも１つを含む持続時間について、前記周波数帯域幅の前記第２の部分がアイドルであると決定することと、
前記第３のワイヤレスデバイスおよび前記第４のワイヤレスデバイスがいずれも前記第１のメッセージの意図された受信先ではないと決定したことに応答して、ピアツーピア通信において、前記第４のワイヤレスデバイスに前記第３のワイヤレスデバイスによって前記周波数帯域幅の前記第２の部分を通じて第２のメッセージを送信することと、ここで、前記第２のメッセージは、前記第１のメッセージの送信時間を超えて延びない限られた送信時間を有し、それによって、前記第１のメッセージの前記送信時間の少なくとも終了後に使用するための前記周波数帯域幅の前記第１および第２の部分のアベイラビリティを可能にする、
を備える、方法。
【請求項２】
前記第２のメッセージの前記限られた送信時間の終了が前記第１のメッセージの前記送信時間の前記終了よりも早くに起こる、請求項１に記載の方法。
【請求項３】
前記第１のメッセージは、前記送信元である第１のワイヤレスデバイスおよび前記意図された受信先である第２のワイヤレスデバイスの前記識別子を含む信号フィールドを備える、請求項１に記載の方法。
【請求項４】
前記バックオフタイマーは、前記周波数帯域幅の前記第２の部分内の１つまたは複数のチャネルがアイドルである間デクリメントされる、請求項１に記載の方法。
【請求項５】
前記第２のメッセージは、前記第１のメッセージの受信信号強度インジケータ（ＲＳＳＩ）がしきい値を下回るときに送信される、請求項１に記載の方法。
【請求項６】
前記しきい値は、所期の送信電力および基準送信電力に基づく、請求項５に記載の方法。
【請求項７】
前記第３のワイヤレスデバイスが前記第１のメッセージの前記意図された受信先ではないと決定したことに応答して、前記第３のワイヤレスデバイスによって前記周波数帯域幅の前記第２の部分を通じて送信要求（ＲＴＳ）メッセージを送信することと、
前記周波数帯域幅の前記第２の部分を通じて前記ＲＴＳメッセージに応答して送信可（ＣＴＳ）メッセージを受信することと、
をさらに備える、請求項１に記載の方法。
【請求項８】
前記第３のワイヤレスデバイスは、前記周波数帯域幅の第３の部分が少なくとも前記ＰＩＦＳ時間についてアイドルであるときに、前記周波数帯域幅の前記第２の部分に含まれる前記周波数帯域幅の前記第３の部分を通じて前記第２のメッセージを送信する、請求項１に記載の方法。
【請求項９】
実行されたときに、ワイヤレス通信のための装置のプロセッサに、請求項１ないし８のいずれか一項に記載の方法を行わせるコードを備える、非一時的なコンピュータ可読媒体。
【請求項１０】
ワイヤレス通信のための装置であって、前記装置は、
周波数帯域幅の第１の部分を通じて第１のメッセージを受信するための手段と、ここで、前記第１のメッセージは、送信元である第１のワイヤレスデバイスおよび意図された受信先である第２のワイヤレスデバイスの識別子を含む、
前記第１のメッセージに基づいて、第３のワイヤレスデバイスおよび第４のワイヤレスデバイスがいずれも前記第１のメッセージの意図された受信先ではないと決定するための手段と、
前記第１のメッセージの送信時間と前記周波数帯域幅の第２の部分のクリアチャネルアクセスのチェックとのうちの少なくとも１つに基づいて、ポイント協調機能インターフレームスペース（ＰＩＦＳ）時間とバックオフタイマーが満了するために必要な時間とのうちの少なくとも１つを含む持続時間について、前記周波数帯域幅の前記第２の部分がアイドルであると決定するための手段と、
前記第３のワイヤレスデバイスおよび前記第４のワイヤレスデバイスがいずれも前記第１のメッセージの意図された受信先ではないと決定したことに応答して、ピアツーピア通信において、前記第４のワイヤレスデバイスに前記周波数帯域幅の前記第２の部分を通じて第２のメッセージを送信するための手段と、ここで、前記第２のメッセージは、前記第１のメッセージの送信時間を超えて延びない限られた送信時間を有する、
を備える前記第３のワイヤレスデバイスである、装置。
【請求項１１】
前記第１のメッセージは、前記送信元である第１のワイヤレスデバイスおよび前記意図された受信先である第２のワイヤレスデバイスの前記識別子を含む信号フィールドを備える、請求項１０に記載の装置。
【請求項１２】
前記周波数帯域幅の前記第２の部分内の１つまたは複数のチャネルがアイドルである間前記バックオフタイマーをデクリメントするための手段をさらに備える、請求項１０に記載の装置。
【請求項１３】
前記第２のメッセージを送信するための手段は、前記第１のメッセージの受信信号強度インジケータ（ＲＳＳＩ）がしきい値を下回るときに前記第２のメッセージを送信するように構成される、請求項１０に記載の装置。
【請求項１４】
前記しきい値は、所期の送信電力および基準送信電力に基づく、請求項１３に記載の装置。
【請求項１５】
前記装置が前記第１のメッセージの前記意図された受信先ではないと決定したことに応答して、前記周波数帯域幅の前記第２の部分を通じて送信要求（ＲＴＳ）メッセージを送信するための手段と、
前記周波数帯域幅の前記第２の部分を通じて前記ＲＴＳメッセージに応答して送信可（ＣＴＳ）メッセージを受信するための手段と、
をさらに備える、請求項１０に記載の装置。
【手続補正２】
【補正対象書類名】明細書
【補正対象項目名】００８５
【補正方法】変更
【補正の内容】
【００８５】
[0093]  上記は、本開示の態様を対象としたものであるが、本開示の基本的な範囲から逸脱することなく、本開示の他の態様およびさらなる態様が考案され得、本開示の範囲は、以下の特許請求の範囲によって決定される。
以下に本願の出願当初の特許請求の範囲に記載された発明を付記する。
［Ｃ１］  ワイヤレス通信のための方法であって、
周波数帯域幅の第１の部分を通じて第１のメッセージを受信することと、ここで、前記第１のメッセージは、送信元である第１のワイヤレスデバイスおよび意図された受信先である第２のワイヤレスデバイスの識別子を含む、
ポイント協調機能インターフレームスペース（ＰＩＦＳ）時間とバックオフタイマーが満了するために必要な時間とのうちの少なくとも１つを含む持続時間について、前記帯域幅の第２の部分がアイドルであるかどうかを決定することと、
第３のワイヤレスデバイスによって前記周波数帯域幅の前記第２の部分を通じて第２のメッセージを送信することと、ここで、前記第２のメッセージは、前記第１のメッセージの送信時間を超えて延びない限られた送信時間を有し、それによって、前記第１のメッセージの前記送信時間の少なくとも終了後に使用するための前記周波数帯域幅の前記第１および第２の部分のアベイラビリティを可能にしており、ここで、前記第３のワイヤレスデバイスは、前記第１のメッセージの意図された受信先ではない、
を備える、方法。
［Ｃ２］  前記第２のメッセージの前記限られた送信時間の終わりが前記第１のメッセージの前記送信時間の終わりよりも早くに起こる、Ｃ１に記載の方法。
［Ｃ３］  前記第１のメッセージは、前記送信元である第１のワイヤレスデバイスおよび前記意図された受信先である第２のワイヤレスデバイスの前記識別子を含む信号フィールドを備える、Ｃ１に記載の方法。
［Ｃ４］  前記バックオフタイマーは、前記周波数帯域幅の前記第２の部分内の１つまたは複数のチャネルがアイドルである間デクリメントされる、Ｃ１に記載の方法。
［Ｃ５］  前記第２のメッセージは、前記第１のメッセージの受信信号強度インジケータ（ＲＳＳＩ）がしきい値を下回るときに送信される、Ｃ１に記載の方法。
［Ｃ６］  前記しきい値は、所期の送信電力および基準送信電力に基づく、Ｃ５に記載の方法。
［Ｃ７］  前記第３のワイヤレスデバイスが前記第１のメッセージの前記意図された受信先ではないときに、前記第３のワイヤレスデバイスによって前記周波数帯域幅の前記第２の部分を通じて送信要求（ＲＴＳ）メッセージを送信することと、
前記周波数帯域幅の前記第２の部分を通じて前記ＲＴＳメッセージに応答して送信可（ＣＴＳ）メッセージを受信することと、
をさらに備える、Ｃ１に記載の方法。
［Ｃ８］  前記第３のワイヤレスデバイスは、前記周波数帯域幅の第３の部分が少なくとも前記ＰＩＦＳ時間についてアイドルであるときに、前記周波数帯域幅の前記第２の部分に含まれる前記周波数帯域幅の前記第３の部分を通じて前記第２のメッセージを送信する、Ｃ１に記載の方法。
［Ｃ９］  ワイヤレス通信のための装置であって、
周波数帯域幅の第１の部分を通じて第１のメッセージを受信するように構成された受信機と、ここで、前記第１のメッセージは、送信元である第１のワイヤレスデバイスおよび意図された受信先である第２のワイヤレスデバイスの識別子を含む、
ポイント協調機能インターフレームスペース（ＰＩＦＳ）時間とバックオフタイマーが満了するために必要な時間とのうちの少なくとも１つを含む持続時間について前記周波数帯域幅の第２の部分がアイドルであるかどうかを決定するように構成されたプロセッサと、
前記周波数帯域幅の前記第２の部分を通じて第２のメッセージを送信するように構成された送信機と、ここで、前記第２のメッセージは、前記第１のメッセージの送信時間を超えて延びない限られた送信時間を有し、それによって、前記第１のメッセージについての前記送信時間の少なくとも終了後に使用するための前記周波数帯域幅の前記第１および第２の部分のアベイラビリティを可能にし、ここで、前記装置は、前記第１のメッセージの意図された受信先ではない、
を備える、装置。
［Ｃ１０］  前記第２のメッセージの前記限られた送信時間の終わりが前記第１のメッセージの前記送信時間の終わりよりも早くに起こる、Ｃ９に記載の装置。
［Ｃ１１］  前記第１のメッセージは、前記送信元である第１のワイヤレスデバイスおよび前記意図された受信先である第２のワイヤレスデバイスの前記識別子を含む信号フィールドを備える、Ｃ９に記載の装置。
［Ｃ１２］  前記バックオフタイマーは、前記周波数帯域幅の前記第２の部分内の１つまたは複数のチャネルがアイドルである間デクリメントされる、Ｃ９に記載の装置。
［Ｃ１３］  前記第２のメッセージは、前記第１のメッセージの受信信号強度インジケータ（ＲＳＳＩ）がしきい値を下回るときに送信される、Ｃ９に記載の装置。
［Ｃ１４］  前記しきい値は、所期の送信電力および基準送信電力に基づく、Ｃ１３に記載の装置。
［Ｃ１５］  前記送信機は、前記装置が前記第１のメッセージの前記意図された受信先ではないときに前記周波数帯域幅の前記第２の部分を通じて送信要求（ＲＴＳ）メッセージを送信するようにさらに構成され、
前記受信機は、前記ＲＴＳメッセージに応答して前記周波数帯域幅の前記第２の部分を通じて送信可（ＣＴＳ）メッセージを受信するようにさらに構成された、
Ｃ９に記載の装置。
［Ｃ１６］  前記送信機は、前記周波数帯域幅の第３の部分が少なくとも前記ＰＩＦＳ時間についてアイドルであるときに、前記周波数帯域幅の前記第２の部分に含まれる前記周波数帯域幅の前記第３の部分を通じて前記第２のメッセージを送信するように構成された、Ｃ９に記載の装置。
［Ｃ１７］  コードを備える非一時的なコンピュータ可読媒体であって、前記コードは、実行されたときに、ワイヤレス通信のための装置のプロセッサに、
周波数帯域幅の第１の部分を通じて第１のメッセージを受信することと、ここで、前記第１のメッセージは、送信元である第１のワイヤレスデバイスおよび意図された受信先である第２のワイヤレスデバイスの識別子を含む、
ポイント協調機能インターフレームスペース（ＰＩＦＳ）時間とバックオフタイマーが満了するために必要な時間とのうちの少なくとも１つを含む持続時間について、前記周波数帯域幅の第２の部分がアイドルであるかどうかを決定することと、
前記周波数帯域幅の前記第２の部分を通じて第２のメッセージを送信することと、ここで、前記第２のメッセージは、前記第１のメッセージの送信時間を超えて延びない限られた送信時間を有し、前記装置は、前記第１のメッセージの意図された受信先ではない、
を行わせる、媒体。
［Ｃ１８］  前記第２のメッセージの前記限られた送信時間の終わりが前記第１のメッセージの前記送信時間の終わりよりも早くに起こる、Ｃ１７に記載の媒体。
［Ｃ１９］  前記第１のメッセージは、前記送信元である第１のワイヤレスデバイスおよび前記意図された受信先である第２のワイヤレスデバイスの前記識別子を含む信号フィールドを備える、Ｃ１７に記載の媒体。
［Ｃ２０］  前記バックオフタイマーは、前記周波数帯域幅の前記第２の部分内の１つまたは複数のチャネルがアイドルである間デクリメントされる、Ｃ１７に記載の媒体。
［Ｃ２１］  前記第２のメッセージは、前記第１のメッセージの受信信号強度インジケータ（ＲＳＳＩ）がしきい値を下回るときに送信される、Ｃ１７に記載の媒体。
［Ｃ２２］  前記しきい値は、所期の送信電力および基準送信電力に基づく、Ｃ２０に記載の媒体。
［Ｃ２３］  実行されたときに、前記装置に、
前記装置が前記第１のメッセージの前記意図された受信先ではないときに、前記周波数帯域幅の前記第２の部分を通じて送信要求（ＲＴＳ）メッセージを送信することと、
前記周波数帯域幅の前記第２の部分を通じて前記ＲＴＳメッセージに応答して送信可（ＣＴＳ）メッセージを受信することと、
を行わせるコードをさらに備える、Ｃ１７に記載の媒体。
［Ｃ２４］  ワイヤレス通信のための装置であって、
周波数帯域幅の第１の部分を通じて第１のメッセージを受信するための手段と、ここで、前記第１のメッセージは、送信元である第１のワイヤレスデバイスおよび意図された受信先である第２のワイヤレスデバイスの識別子を含む、
ポイント協調機能インターフレームスペース（ＰＩＦＳ）時間とバックオフタイマーが満了するために必要な時間とのうちの少なくとも１つを含む持続時間について前記周波数帯域幅の第２の部分がアイドルであるかどうかを決定するための手段と、
前記周波数帯域幅の前記第２の部分を通じて第２のメッセージを送信するための手段と、ここで、前記第２のメッセージは、前記第１のメッセージの送信時間を超えて延びない限られた送信時間を有し、前記装置は、前記第１のメッセージの意図された受信先ではない、
を備える、装置。
［Ｃ２５］  前記第２のメッセージの前記限られた送信時間の終わりが前記第１のメッセージの前記送信時間の終わりよりも早くに起こる、Ｃ２４に記載の装置。
［Ｃ２６］  前記第１のメッセージは、前記送信元である第１のワイヤレスデバイスおよび前記意図された受信先である第２のワイヤレスデバイスの前記識別子を含む信号フィールドを備える、Ｃ２４に記載の装置。
［Ｃ２７］  前記周波数帯域幅の前記第２の部分内の１つまたは複数のチャネルがアイドルである間前記バックオフタイマーをデクリメントするための手段をさらに備える、Ｃ２４に記載の装置。
［Ｃ２８］  前記第２のメッセージを送信するための手段は、前記第１のメッセージの受信信号強度インジケータ（ＲＳＳＩ）がしきい値を下回るときに前記第２のメッセージを送信するように構成される、Ｃ２４に記載の装置。
［Ｃ２９］  前記しきい値は、所期の送信電力および基準送信電力に基づく、Ｃ２８に記載の装置。
［Ｃ３０］  前記装置が前記第１のメッセージの前記意図された受信先ではないときに、前記周波数帯域幅の前記第２の部分を通じて送信要求（ＲＴＳ）メッセージを送信するための手段と、
前記周波数帯域幅の前記第２の部分を通じて前記ＲＴＳメッセージに応答して送信可（ＣＴＳ）メッセージを受信するための手段と、
をさらに備える、Ｃ２４に記載の装置。